(57)【特許請求の範囲】
【請求項１】
連結ピンが挿入される一対のピン穴と、内側フランク面、外側フランク面およびこれらを連結する歯先部から構成される一対の歯部とをそれぞれ有する多数のリンクプレートを前記連結ピンにより枢支可能に連結するとともに、前記歯先部が前記外側フランク面側において一部切除された形状を有する第１のリンクプレートと、前記歯先部が前記外側フランク面側において一部切除された形状を有していない第２のリンクプレートとが混在しているサイレントチェーンの組立方法であって、
リンクプレートの歯先部が外側フランク面側において一部切除された形状を有しているかいないかを、センサにより検出しまたは識別用ゲートにより識別し、
前記センサまたは識別用ゲートにより歯先部の一部が切除された形状を有しているとされたリンクプレートを第１のリンクプレートの配列位置に配置し、
前記センサまたは識別用ゲートにより歯先部の一部が切除された形状を有していないとされたリンクプレートを第２のリンクプレートの配列位置に配置するとともに、
これら第１，第２のリンクプレートを連結ピンにより枢支可能に連結した、
ことを特徴とするサイレントチェーンの組立方法。
【請求項２】
連結ピンが挿入される一対のピン穴と、内側フランク面および外側フランク面から構成される一対の歯部とを有し、前記外側フランク面および背面部が肩部によって連結された多数のリンクプレートを前記連結ピンにより枢支可能に連結するとともに、前記肩部が外方に突出する突出部を有する第１のリンクプレートと、前記肩部が外方に突出する突出部を有していない第２のリンクプレートとが混在しているサイレントチェーンの組立方法であって、
リンクプレートの肩部が外方に突出しているかいないかを、センサにより検出しまたは識別用ゲートにより識別し、
前記センサまたは識別用ゲートにより肩部が外方に突出しているとされたリンクプレートを第１のリンクプレートの配列位置に配置し、
前記センサまたは識別用ゲートにより肩部が外方に突出していないとされたリンクプレートを第２のリンクプレートの配列位置に配置するとともに、
これら第１，第２のリンクプレートを連結ピンにより枢支可能に連結した、
ことを特徴とするサイレントチェーンの組立方法。
【請求項３】
連結ピンが挿入される一対のピン穴と、内側フランク面、外側フランク面およびこれらを連結する歯先部から構成される一対の歯部とを有し、前記外側フランク面および背面部が肩部によって連結された多数のリンクプレートを前記連結ピンにより枢支可能に連結するとともに、前記歯先部が前記外側フランク面側において一部切除された形状を有しかつ前記肩部が外方に突出する突出部を有する第１のリンクプレートと、前記歯先部が前記外側フランク面側において一部切除された形状を有しておらずかつ前記肩部が外方に突出する突出部を有していない第２のリンクプレートとが混在しているサイレントチェーンの組立方法であって、
リンクプレートの歯先部が外側フランク面側において一部切除された形状を有しているかいないかを、第１のセンサにより検出しまたは第１の識別用ゲートにより識別し、リンクプレートの肩部が外方に突出しているかいないかを、第２のセンサにより検出しまたは第２の識別用ゲートにより識別するとともに、
前記第１，第２のセンサまたは前記第１，第２の識別用ゲートにより、歯先部の一部が切除された形状を有しかつ肩部が外方に突出しているとされたリンクプレートを第１のリンクプレートの配列位置に配置し、
前記第１，第２のセンサまたは前記第１，第２の識別用ゲートにより、歯先部の一部が切除された形状を有しておらずかつ肩部が外方に突出していないとされたリンクプレートを第２のリンクプレートの配列位置に配置するとともに、
これら第１，第２のリンクプレートを連結ピンにより枢支可能に連結した、
ことを特徴とするサイレントチェーンの組立方法。
【請求項４】
請求項１において、
サイレントチェーンの組立後に前記第１および第２のリンクプレートがそれぞれ正規の位置に配置されているか否かを前記歯先部の形状に基づいてセンサにより検査する検査工程をさらに備えた、
ことを特徴とするサイレントチェーンの組立方法。
【請求項５】
請求項２において、
サイレントチェーンの組立後に前記第１および第２のリンクプレートがそれぞれ正規の位置に配置されているか否かを前記肩部の形状に基づいてセンサにより検査する検査工程をさらに備えた、
ことを特徴とするサイレントチェーンの組立方法。
【請求項６】
請求項３において、
サイレントチェーンの組立後に前記第１および第２のリンクプレートがそれぞれ正規の位置に配置されているか否かを前記歯先部および肩部の形状に基づいてセンサにより検査する検査工程をさらに備えた、
ことを特徴とするサイレントチェーンの組立方法。
【請求項７】
請求項１ないし３のいずれかにおいて、
前記第１および第２のリンクプレートは、板厚、材質、熱処理、硬度またはピン穴仕上加工のいずれか一つ以上の点で互いに異なっている、
ことを特徴とするサイレントチェーンの組立方法。
【発明の詳細な説明】
【０００１】
【発明の属する技術分野】
本発明は、一対の歯部を有するサイレントチェーン用のリンクプレート、該リンクプレートを含むサイレントチェーン、および該サイレントチェーンの組立方法に関する。
【０００２】
【従来の技術およびその課題】
一般に、サイレントチェーンは、図９の側面図に示すように、多数のリンクプレート２０を厚み方向および長手方向に積層し、これらを連結ピン３０により枢支可能に連結するとともに、最外側のリンクプレート２０の外側にガイドリンク４０を配置することにより構成されている。
【０００３】
サイレントチェーン１を構成するリンクプレート２０は、図８の拡大図に示すように、連結ピンが挿入される一対のピン穴２１と、下方に垂れ下がる一対の歯部２２とを有している。歯部２２は、略円弧状の内側フランク面２２ａと、略直線状の外側フランク面２２ｂと、これらを接続する歯先部２２ｃとから構成されており、隣り合う各内側フランク面２２ａはクロッチ部２３で連結されている。また、リンクプレート２０は略直線状の背面部２４を有しており、背面部２４および外側フランク面２２ｂは、略円弧状の肩部２５で連結されている。
【０００４】
ところで、最近のサイレントチェーンにおいては、板厚が異なるリンクプレートを同じサイレントチェーンの中で用いようとする場合があり、また材質や熱処理、硬度が異なるリンクプレートを同じサイレントチェーンの中で使用したいとする要請もある。
【０００５】
このような場合、板厚や材質、熱処理、硬度が異なるリンクプレートを組立工程において他のリンクプレートから識別して、適切な配列位置に配置する必要がある。ところが、従来のサイレントチェーンにおいては、すべてのリンクプレートが全く同じ外形形状を有しており、材質や熱処理、硬度が異なるリンクプレートを組立工程において外観上識別することは困難である。また板厚が異なるリンクプレートについては、板厚の違いはコンマ数ミリ程度であるため、組立工程において板厚のみの違いで識別することは容易ではない。
【０００６】
本発明は、このような従来の実情に鑑みてなされたもので、その目的は、他のリンクプレートから外観上識別できるリンクプレートを提供すること、ならびに、そのようなリンクプレートと他のリンクプレートとが混在したサイレントチェーンおよびその組立方法を提供することにある。本発明の他の目的は、サイレントチェーンにおいて二種類のリンクプレートがそれぞれ正規の位置に配置されたか否かを検査する検査方法を提供することにある。
【０００７】
【課題を解決するための手段】
請求項１の発明に係るサイレントチェーンの組立方法は、連結ピンが挿入される一対のピン穴と、内側フランク面、外側フランク面およびこれらを連結する歯先部から構成される一対の歯部とをそれぞれ有する多数のリンクプレートを前記連結ピンにより枢支可能に連結するとともに、前記歯先部が前記外側フランク面側において一部切除された形状を有する第１のリンクプレートと、前記歯先部が前記外側フランク面側において一部切除された形状を有していない第２のリンクプレートとが混在しているサイレントチェーンの組立方法である。当該方法は、リンクプレートの歯先部が外側フランク面側において一部切除された形状を有しているかいないかを、センサにより検出しまたは識別用ゲートにより識別し、前記センサまたは識別用ゲートにより歯先部の一部が切除された形状を有しているとされたリンクプレートを第１のリンクプレートの配列位置に配置し、前記センサまたは識別用ゲートにより歯先部の一部が切除された形状を有していないとされたリンクプレートを第２のリンクプレートの配列位置に配置するとともに、これら第１，第２のリンクプレートを連結ピンにより枢支可能に連結したことを特徴としている。
【０００８】
請求項２の発明に係るサイレントチェーンの組立方法は、連結ピンが挿入される一対のピン穴と、内側フランク面および外側フランク面から構成される一対の歯部とを有し、前記外側フランク面および背面部が肩部によって連結された多数のリンクプレートを前記連結ピンにより枢支可能に連結するとともに、前記肩部が外方に突出する突出部を有する第１のリンクプレートと、前記肩部が外方に突出する突出部を有していない第２のリンクプレートとが混在しているサイレントチェーンの組立方法である。当該方法は、リンクプレートの肩部が外方に突出しているかいないかを、センサにより検出しまたは識別用ゲートにより識別し、前記センサまたは識別用ゲートにより肩部が外方に突出しているとされたリンクプレートを第１のリンクプレートの配列位置に配置し、前記センサまたは識別用ゲートにより肩部が外方に突出していないとされたリンクプレートを第２のリンクプレートの配列位置に配置するとともに、これら第１，第２のリンクプレートを連結ピンにより枢支可能に連結したことを特徴としている。
【０００９】
請求項３の発明に係るサイレントチェーンの組立方法は、連結ピンが挿入される一対のピン穴と、内側フランク面、外側フランク面およびこれらを連結する歯先部から構成される一対の歯部とを有し、前記外側フランク面および背面部が肩部によって連結された多数のリンクプレートを前記連結ピンにより枢支可能に連結するとともに、前記歯先部が前記外側フランク面側において一部切除された形状を有しかつ前記肩部が外方に突出する突出部を有する第１のリンクプレートと、前記歯先部が前記外側フランク面側において一部切除された形状を有しておらずかつ前記肩部が外方に突出する突出部を有していない第２のリンクプレートとが混在しているサイレントチェーンの組立方法である。当該方法は、リンクプレートの歯先部が外側フランク面側において一部切除された形状を有しているかいないかを、第１のセンサにより検出しまたは第１の識別用ゲートにより識別し、リンクプレートの肩部が外方に突出しているかいないかを、第２のセンサにより検出しまたは第２の識別用ゲートにより識別するとともに、前記第１，第２のセンサまたは前記第１，第２の識別用ゲートにより、歯先部の一部が切除された形状を有しかつ肩部が外方に突出しているとされたリンクプレートを第１のリンクプレートの配列位置に配置し、前記第１，第２のセンサまたは前記第１，第２の識別用ゲートにより、歯先部の一部が切除された形状を有しておらずかつ肩部が外方に突出していないとされたリンクプレートを第２のリンクプレートの配列位置に配置するとともに、これら第１，第２のリンクプレートを連結ピンにより枢支可能に連結したことを特徴としている。
【００１０】
請求項４の発明では、請求項１において、サイレントチェーンの組立後に前記第１および第２のリンクプレートがそれぞれ正規の位置に配置されているか否かを前記歯先部の形状に基づいてセンサにより検査する検査工程をさらに備えたことを特徴としている。
【００１１】
請求項５の発明では、請求項２において、サイレントチェーンの組立後に前記第１および第２のリンクプレートがそれぞれ正規の位置に配置されているか否かを前記肩部の形状に基づいてセンサにより検査する検査工程をさらに備えたことを特徴としている。
【００１２】
請求項６の発明では、請求項３において、サイレントチェーンの組立後に前記第１および第２のリンクプレートがそれぞれ正規の位置に配置されているか否かを前記歯先部および肩部の形状に基づいてセンサにより検査する検査工程をさらに備えたことを特徴としている。
【００１３】
請求項７の発明では、請求項１ないし３のいずれかにおいて、前記第１および第２のリンクプレートは、板厚、材質、熱処理、硬度またはピン穴仕上加工のいずれか一つ以上の点で互いに異なっていることを特徴としている。
【００１４】
請求項１ないし３の発明に係るリンクプレートにおいては、リンクプレートの外観上の差異となる部分は、スプロケットとの噛合いに関与する部分であってはならず、またリンクプレートの強度に関係しない部分でなければならない。歯先部の外側フランク面側の部分および肩部は、このような観点からとくに選択されたものである。
【００１５】
請求項１の発明では、歯先部が外側フランク面側で一部切除された形状を有する第１のリンクプレートと、歯先部が外側フランク面側で一部切除された形状を有していない第２のリンクプレートとが混在している。また、請求項２の発明では、肩部が外方に突出する突出部を有する第１のリンクプレートと、肩部が外方に突出する突出部を有していない第２のリンクプレートとが混在している。さらに、請求項３の発明では、歯先部が外側フランク面側で一部切除された形状を有しかつ肩部が外方に突出する突出部を有する第１のリンクプレートと、歯先部が外側フランク面側で一部切除された形状を有しておらずかつ肩部が外方に突出する突出部を有していない第２のリンクプレートとが混在している。
【００１６】
このように請求項１ないし３の発明によれば、各請求項に記載された第１および第２のリンクプレートが外観上互いに識別できるようになっているので、これら第１および第２のリンクプレートを同じサイレントチェーンの中に混在させることが可能になる。
【００１７】
請求項１の発明に係るサイレントチェーンの組立方法においては、リンクプレートが外側フランク面側で歯先部の一部が切除された形状を有しているかいないかを、センサにより検出しまたは識別用ゲートにより識別するようにしている。また、請求項２の発明では、リンクプレートの肩部が外方に突出しているかいないかを、センサにより検出しまたは識別用ゲートにより識別するようにしている。さらに、請求項３の発明では、リンクプレートが外側フランク面側で歯先部の一部が切除された形状を有しているかいないかを、第１のセンサにより検出しまたは第１の識別用ゲートにより識別し、リンクプレートの肩部が外方に突出しているかいないかを、第２のセンサにより検出しまたは第２の識別用ゲートにより識別するようにしている。
【００１８】
なお、ここでいう識別用ゲートとは、リンクプレートの輪郭形状の穴が形成されたゲージをいい、この穴が、たとえば、歯先部の一部が切除された形状のリンクプレートの輪郭形状に対応していると、歯先部の一部が切除されたリンクプレートは識別ゲートを通過できるが、歯先部の一部が切除されていないリンクプレートは識別ゲートを通過できず、識別ゲートにより両リンクプレートを識別することができる。
【００１９】
このように請求項１ないし３の発明によれば、各請求項に記載された第１および第２のリンクプレートは、外観上の差異がセンサまたは識別ゲートにより識別されるようになっているので、これら第１および第２のリンクプレートを同じサイレントチェーンの中に混在させるとともに、各リンクプレートをそれぞれの正規の配列位置に配置して組み立てることが可能になる。
【００２０】
請求項４の発明では、サイレントチェーンの組立後に第１および第２のリンクプレートがそれぞれ正規の位置に配置されているか否かを歯先部の形状に基づいてセンサにより検査している。また、請求項５の発明では、サイレントチェーンの組立後に第１および第２のリンクプレートがそれぞれ正規の位置に配置されているか否かを肩部の形状に基づいてセンサにより検査している。さらに、請求項６の発明では、サイレントチェーンの組立後に第１および第２のリンクプレートがそれぞれ正規の位置に配置されているか否かを歯先部および肩部の形状に基づいてセンサにより検査している。
【００２１】
このように請求項４ないし６の発明によれば、各請求項に記載された第１および第２のリンクプレートがそれぞれ正規の位置に配置されているか否かがセンサにより検査されるようになっているので、誤組立品が誤って出荷されるのを防止できる。
【００２２】
請求項７の発明では、第１および第２のリンクプレートが、板厚、材質、熱処理、硬度またはピン穴仕上加工のいずれか一つ以上の点で互いに異なっている。これら板厚、材質、熱処理、硬度またはピン穴仕上加工の違いは、外観上明瞭に現れるものではなく、したがって、これらの違いは、リンクプレートの歯先部または肩部の形状によって明瞭に識別できるようになる。なお、ここでいうピン穴仕上加工の違いとは、仕上加工方法の違いというよりもむしろ、ピン穴がたとえばシェービング加工などで仕上加工されているかまたは仕上加工されていないかの違いを意味している。
【００２３】
【発明の実施の形態】
以下、本発明の実施態様を添付図面に基づいて説明する。
図１は、本発明の第１の実施態様によるリンクプレートを示しており、同図において、図８中の参照符号と一の位の数字が同じ参照符号は同一または相当部分を示している。
【００２４】
このリンクプレート１０は、連結ピンが挿入される一対のピン穴１１と、下方に垂れ下がる一対の歯部１２とを有している。歯部１２は、略円弧状の内側フランク面１２ａと、略直線状の外側フランク面１２ｂと、これらを接続する歯先部１２ｃとを有しており、隣り合う各内側フランク面１２ａはクロッチ部１３で連結されている。またリンクプレート１０は略直線状の背面部１４を有しており、背面部１４および外側フランク面１２ｂは、略円弧状の肩部１５で連結されている。歯先部１２ｃには、外側フランク面１２ｂ側においてその一部が切除された形状を有しかつ略直線状に延びる切除部１２ｄが形成されている。なお、図１中の一点鎖線は、図８に示す従来のリンクプレートの歯先部の形状を示している。
【００２５】
図２は、本発明の第２の実施態様によるリンクプレートを示している。同図において、図１と同一符号は同一または相当部分を示している。また、図２中の一点鎖線は、図８に示す従来のリンクプレートの肩部の形状を示している。
【００２６】
リンクプレート１０′の肩部には、外方に突出する突出部１５ａが形成されている。突出部１５ａは、従来のリンクプレートの略円弧状の肩部（一点鎖線参照）の上に隆起した形状を有している。
【００２７】
図３は、本発明の第３の実施態様によるリンクプレートを示している。同図において、図１または図２と同一符号は同一または相当部分を示している。また、図３中の一点鎖線は、図８に示す従来のリンクプレートの歯先部または肩部の形状を示している。
【００２８】
リンクプレート１０″の歯先部１２ｃには、外側フランク面１２ｂ側においてその一部が切除された形状を有しかつ略直線状に延びる切除部１２ｄが形成されるとともに、肩部には、外方に突出する突出部１５ａが形成されている。
【００２９】
上記各リンクプレート１０，１０′，１０″は、板厚、材質、熱処理、硬度またはピン穴仕上加工の有無などのうちのいずれか一つ以上の点で互いに異なっているが、この場合、上記各リンクプレート１０，１０′，１０″は、それぞれの歯先部および（または）肩部の形状の違いによって互いに識別することが可能である。
【００３０】
たとえば、リンクプレート１０，１０′は歯先部および肩部の形状の違いにより、リンクプレート１０，１０″は肩部の形状の違いにより、リンクプレート１０′，１０″は歯先部の形状の違いにより、それぞれ識別できる。
【００３１】
各リンクプレート間における歯先部および（または）肩部の形状の違いは、各種センサまたは識別用ゲートによって検出することができるが、その具体例を図４ないし図６を用いて以下に示す。
【００３２】
図４はタッチセンサを用いる例を示している。同図に示すように、検査対象となるリンクプレートの歯先部１２ｃの切除部１２ｄの位置にタッチセンサ５を配置するとともに、リンクプレートの肩部１５の位置にタッチセンサ６を配置する。
【００３３】
この場合、タッチセンサ５がＯＮとなれば、検査対象であるリンクプレートが、歯先部１２ｃに切除部１２ｄが形成されていないリンクプレート１０′または従来のリンクプレート２０のいずれかであることが検出でき、逆に、タッチセンサ５がＯＦＦのままであれば、検査対象であるリンクプレートが、歯先部１２ｃに切除部１２ｄが形成されたリンクプレート１０または１０″のいずれかであることが検出できる。
【００３４】
また、タッチセンサ６がＯＮとなれば、検査対象であるリンクプレートが、肩部１５に突出部１５ａが形成されたリンクプレート１０′または１０″のいずれかであることが検出でき、逆に、タッチセンサ６がＯＦＦのままであれば、検査対象であるリンクプレートが、肩部１５に突出部１５ａが形成されていないリンクプレート１０または従来のリンクプレート２０のいずれかであることが検出できる。
【００３５】
このようにして、タッチセンサ５，６のいずれがＯＮまたはＯＦＦであるかによって、検査対象であるリンクプレートがどのリンクプレートであるかが識別できるようになっている。なお、タッチセンサのかわりに近接スイッチを用いるようにしてもよい。
【００３６】
図５は、レーザ式の光電スイッチを用いる例を示している。同図に示すように、検査対象となるリンクプレートの歯先部１２ｃの近傍に光電スイッチの投光部７ａを配置するとともに、投光部７ａから出射されたレーサ光Ｌがリンクプレートの切除部１２ｄで反射した反射光を受光する受光部７ｂと、レーザ光がリンクプレートの切除部１２ｄの形成されていない歯先部１２ｃで反射した反射光を受光する受光部７ｃとを配置する。
【００３７】
また、リンクプレートの肩部の近傍に光電スイッチの投光部８ａを配置するとともに、投光部８ａから出射されたレーザ光Ｌがリンクプレートの肩部の突出部１５ａで反射した反射光を受光する受光部８ｂと、レーザ光がリンクプレートの突出部１５ａの形成されていない肩部１５で反射した反射光を受光する受光部８ｃとを配置する。
【００３８】
この場合には、受光部７ｂでレーザ光が受光されれば、検査対象であるリンクプレートが、歯先部１２ｃに切除部１２ｄが形成されたリンクプレート１０または１０″のいずれかであることが検出でき、これに対して、受光部７ｃでレーザ光が受光されれば、検査対象であるリンクプレートが、歯先部１２ｃに切除部１２ｄが形成されていないリンクプレート１０′または従来のリンクプレート２０のいずれかであることが検出できる。
【００３９】
また、受光部８ｂでレーザ光が受光されれば、検査対象であるリンクプレートが、肩部１５に突出部１５ａが形成されたリンクプレート１０′または１０″のいずれかであることが検出でき、これに対して、受光部８ｃでレーザ光が受光されれば、検査対象であるリンクプレートが、肩部１５に突出部１５ａが形成されていないリンクプレート１０または従来のリンクプレート２０のいずれかであることが検出できる。
【００４０】
このようにして、いずれの受光部でレーザ光が受光されるかによって、検査対象であるリンクプレートがどのリンクプレートであるかが識別できるようになっている。
【００４１】
次に、イメージセンサを用いる例を図６を用いて説明する。図６（ａ）はリンクプレートを背面側からみた端面図、同図（ｂ）はリンクプレートを歯先部側からみた端面図である。これらの図に示すように、リンクプレートの肩部に突出部１５ａが形成されている場合、リンクプレートの端面には突出部１５ａの頂上部が稜線Ｍとなって現れており、また、リンクプレートの歯先部１２ｃに切除部１２ｄが形成されている場合、歯先部１２ｃと切除部１２ｄとの接続面が稜線Ｍ１となって現れるとともに、切除部１２ｄと外側フランク面１２ｂとの接続面が稜線Ｍ２となって現れている。
【００４２】
したがって、イメージセンサを用いてこれらの稜線Ｍ，Ｍ１，Ｍ２を検出するようにすれば、検査対象であるリンクプレートがどのリンクプレートであるかが識別できる。
【００４３】
次に、識別用ゲートを用いる例を図７を用いて説明する。図７は識別用ゲートを示しており、該識別用ゲート９には、選別したいリンクプレートの輪郭形状に対応する穴９ａが形成されている。この場合には、識別用ゲート９の穴９ａを通過するか否かによってリンクプレートを識別できる。
【００４４】
たとえば、リンクプレート１０の輪郭形状に対応する穴が形成された識別用ゲート１を用意した場合、この識別用ゲート１を通過したリンクプレートはリンクプレート１０のみである。識別用ゲート１を通過しなかったリンクプレート１０′，１０″については、リンクプレート１０″の輪郭形状に対応する穴が形成された識別用ゲート２に通すことにより、この識別用ゲート２を通過したリンクプレートがリンクプレート１０″であり、通過しなかったリンクプレートがリンクプレート１０′である。このようにして、各リンクプレートが選別されて識別できる。
【００４５】
上述したように、上記各リンクプレート１０，１０′，１０″は互いに識別可能になっているので、これらのリンクプレートを組み合わせてサイレントチェーンを組み立てる際には、所望の配列位置に所望のリンクプレートを適宜配置することができる。
【００４６】
たとえば、リンクプレート１０の板厚が１．２ｍｍであって、リンクプレート１０″の板厚が１．０ｍｍのときに、リンクプレート１０，１０″を組み合わせてサイレントチェーンを構成する場合、上記各センサまたは識別用ゲートを用いて各リンクプレート１０，１０″を選別することにより、たとえば、リンク列の最外側およびガイド列の中央部にリンクプレート１０を配置し、その他の位置にリンクプレート１０″を配置するというようなリンクプレートの配列が組立機を用いて自動的に行えるようになる。
【００４７】
また、サイレントチェーンの組立後には、配置すべきリンクプレートが正規の配列位置に配置されているかどうかを上記各センサを用いることにより検査することができる。これにより、誤組立品が誤って出荷されるのを防止できる。
【００４８】
【発明の効果】
以上詳述したように、本発明によれば、外観上識別できるリンクプレートと他のリンクプレートとが混在したサイレントチェーンの組立方法を提供できる。さらに本発明によれば、サイレントチェーンにおいて二種類のリンクプレートがそれぞれ正規の位置に配置されたか否かを検査する検査方法を提供できる。
【図面の簡単な説明】
【図１】本発明の第１の実施態様によるリンクプレートの正面拡大図である。
【図２】本発明の第２の実施態様によるリンクプレートの正面拡大図である。
【図３】本発明の第３の実施態様によるリンクプレートの正面拡大図である。
【図４】リンクプレートの歯先部および肩部をタッチセンサで検査する様子を示す図である。
【図５】リンクプレートの歯先部および肩部を光電スイッチで検査する様子を示す図である。
【図６】リンクプレートの歯先部および肩部をイメージセンサで検査する様子を説明するための図である。
【図７】リンクプレートを選別するための識別用ゲートの全体斜視図である。
【図８】従来のリンクプレートの正面拡大図である。
【図９】サイレントチェーンの側面部分図である。
【符号の説明】
１０：    リンクプレート
１０′：  リンクプレート
１０″：  リンクプレート
１１：    ピン穴
１２：    歯部
１４：    背面部
１５：    肩部
１２ａ：  内側フランク面
１２ｂ：  外側フランク面
１２ｃ：  歯先部
１２ｄ：  切除部
１５ａ：  突出部
５，６：  タッチセンサ
７ａ，７ｂ，７ｃ：  光電スイッチ
８ａ，８ｂ，８ｃ：  光電スイッチ
９：  識別用ゲート
【図１】
0004685220.tif 000002
【図２】
0004685220.tif 000003
【図３】
0004685220.tif 000004
【図４】
0004685220.tif 000005
【図５】
0004685220.tif 000006
【図６】
0004685220.tif 000007
【図７】
0004685220.tif 000008
【図８】
0004685220.tif 000009
【図９】
0004685220.tif 000010